(57)【要約】【課題】医用画像から選択対象物を選択する際の操作性を向上させる。【解決手段】医用画像を表示する表示部と、表示部の表示画面上に設けられたタッチパネルと、医用画像に対して複数の選択対象物とその位置とが対応付けられたオブジェクト位置情報を記憶する記憶部と、を備える医用画像表示装置において、医用画像が表示部に表示されている状態で、タッチパネルに対するロングタッチ操作があった場合に、オブジェクト位置情報を参照して、複数の選択対象物のうち、ロングタッチ操作の位置に対応する医用画像上の位置から所定の範囲内に含まれる選択対象物を選択候補として抽出し、タッチパネルに対するタッチ時間、タッチ位置、タッチ深度に応じて、抽出された選択候補を順に選択状態とする。タッチパネルからのタッチアップ操作があった場合に、タッチアップ操作時に選択状態とされていた選択候補の選択を確定させる。【選択図】図４
2019170422.tif 000002
【特許請求の範囲】
【請求項１】
医用画像を表示する表示部と、
当該表示部の表示画面上に設けられたタッチパネルと、
前記医用画像に対して、複数の選択対象物とその位置とが対応付けられたオブジェクト位置情報を記憶する記憶部と、
前記医用画像が前記表示部に表示されている状態で、前記タッチパネルに対するロングタッチ操作があった場合に、前記オブジェクト位置情報を参照して、前記複数の選択対象物のうち、前記ロングタッチ操作の位置に対応する前記医用画像上の位置から所定の範囲内に含まれる選択対象物を選択候補として抽出し、前記タッチパネルに対するタッチ時間、タッチ位置又はタッチ深度に応じて、前記抽出された選択候補を順に選択状態とし、前記タッチパネルからのタッチアップ操作があった場合に、当該タッチアップ操作時に選択状態とされていた選択候補の選択を確定させる制御部と、
を備える医用画像表示装置。
【請求項２】
前記選択対象物は、前記医用画像上に描画されたアノテーション又は計測線である請求項１に記載の医用画像表示装置。
【請求項３】
前記制御部は、前記選択が確定された選択候補について、前記タッチパネルからの操作に基づいて、位置又はサイズを修正する請求項２に記載の医用画像表示装置。
【請求項４】
前記選択対象物は、前記医用画像に所定の処理を施す処理機能である請求項１に記載の医用画像表示装置。
【請求項５】
前記処理機能の選択の確定は、前記タッチパネルに対する所定の操作を、前記処理機能を実行させるためのイベントに割り当てることである請求項４に記載の医用画像表示装置。
【請求項６】
医用画像を表示する表示部と、当該表示部の表示画面上に設けられたタッチパネルと、前記医用画像に対して、複数の選択対象物とその位置とが対応付けられたオブジェクト位置情報を記憶する記憶部と、を備える医用画像表示装置のコンピューターを、
前記医用画像が前記表示部に表示されている状態で、前記タッチパネルに対するロングタッチ操作があった場合に、前記オブジェクト位置情報を参照して、前記複数の選択対象物のうち、前記ロングタッチ操作の位置に対応する前記医用画像上の位置から所定の範囲内に含まれる選択対象物を選択候補として抽出する手段、
前記タッチパネルに対するタッチ時間、タッチ位置又はタッチ深度に応じて、前記抽出された選択候補を順に選択状態とする手段、
前記タッチパネルからのタッチアップ操作があった場合に、当該タッチアップ操作時に選択状態とされていた選択候補の選択を確定させる手段、
として機能させるためのプログラム。
【発明の詳細な説明】
【技術分野】
【０００１】
本発明は、医用画像表示装置及びプログラムに関する。
【背景技術】
【０００２】
近年、医療分野においても情報の電子化が進み、モダリティーで撮影された医用画像等が電子データとして管理されている。医師が医用画像を読影する際には、表示装置に表示された医用画像上に、病変箇所を示す直線、矢印、円等のアノテーションを描画したり、距離や角度等を計測するための位置の基準となる計測線を描画したりする。
【０００３】
複数のアノテーションが付された医用画像の読影診断の精度や効率を向上させるために、単一の医用画像に付された複数のアノテーションを複数のグループに配分し、グループ単位で各グループに属するアノテーションを医用画像と関連付けて記憶する医用画像表示装置が提案されている（特許文献１参照）。この医用画像表示装置では、医用画像に関連付けられている複数のアノテーションのうち、選択されたグループに属するアノテーションのみを抽出し、医用画像に重ねて表示することができる。
【０００４】
また、医用画像を複数の領域に分割した領域ごとに、当該領域に含まれるアノテーションを配置するためのレイヤーを生成し、医用画像上に各レイヤーを重畳表示する医用画像表示装置において、医用画像上の指定された位置を含む領域に対応付けられたレイヤーに配置されたアノテーションの表示態様を、他のレイヤーに配置されたアノテーションの表示態様と変えるものが提案されている（特許文献２参照）。
【先行技術文献】
【特許文献】
【０００５】
【特許文献１】特開２０１３−１３２５１４号公報
【特許文献２】特開２０１４−１１３３１１号公報
【発明の概要】
【発明が解決しようとする課題】
【０００６】
しかしながら、医用画像上に複数のアノテーションや計測線が描画されている状態で、その中の一つを選択して位置やサイズを変更する際に、アノテーションや計測線の相互の位置が近いと、目的の対象物を選択することが困難となる場合があった。特に、タッチパネル端末の場合、通常のキーボード及びマウスにより操作されるＰＣ端末と比べて、細かい位置指定が難しい。
【０００７】
また、医用画像上に描画されているアノテーションや計測線を選択対象とする場合に加え、例えば、パン機能、虫眼鏡機能等、医用画像自体に所定の処理を施す処理機能を利用したい場合には、この処理機能を選択対象として設定する必要がある。
【０００８】
本発明は、上記の従来技術における問題に鑑みてなされたものであって、医用画像から選択対象物を選択する際の操作性を向上させることを課題とする。
【課題を解決するための手段】
【０００９】
上記課題を解決するために、請求項１に記載の発明は、医用画像を表示する表示部と、当該表示部の表示画面上に設けられたタッチパネルと、前記医用画像に対して、複数の選択対象物とその位置とが対応付けられたオブジェクト位置情報を記憶する記憶部と、前記医用画像が前記表示部に表示されている状態で、前記タッチパネルに対するロングタッチ操作があった場合に、前記オブジェクト位置情報を参照して、前記複数の選択対象物のうち、前記ロングタッチ操作の位置に対応する前記医用画像上の位置から所定の範囲内に含まれる選択対象物を選択候補として抽出し、前記タッチパネルに対するタッチ時間、タッチ位置又はタッチ深度に応じて、前記抽出された選択候補を順に選択状態とし、前記タッチパネルからのタッチアップ操作があった場合に、当該タッチアップ操作時に選択状態とされていた選択候補の選択を確定させる制御部と、を備える医用画像表示装置である。
【００１０】
請求項２に記載の発明は、請求項１に記載の医用画像表示装置において、前記選択対象物は、前記医用画像上に描画されたアノテーション又は計測線である。
【００１１】
請求項３に記載の発明は、請求項２に記載の医用画像表示装置において、前記制御部は、前記選択が確定された選択候補について、前記タッチパネルからの操作に基づいて、位置又はサイズを修正する。
【００１２】
請求項４に記載の発明は、請求項１に記載の医用画像表示装置において、前記選択対象物は、前記医用画像に所定の処理を施す処理機能である。
【００１３】
請求項５に記載の発明は、請求項４に記載の医用画像表示装置において、前記処理機能の選択の確定は、前記タッチパネルに対する所定の操作を、前記処理機能を実行させるためのイベントに割り当てることである。
【００１４】
請求項６に記載の発明は、医用画像を表示する表示部と、当該表示部の表示画面上に設けられたタッチパネルと、前記医用画像に対して、複数の選択対象物とその位置とが対応付けられたオブジェクト位置情報を記憶する記憶部と、を備える医用画像表示装置のコンピューターを、前記医用画像が前記表示部に表示されている状態で、前記タッチパネルに対するロングタッチ操作があった場合に、前記オブジェクト位置情報を参照して、前記複数の選択対象物のうち、前記ロングタッチ操作の位置に対応する前記医用画像上の位置から所定の範囲内に含まれる選択対象物を選択候補として抽出する手段、前記タッチパネルに対するタッチ時間、タッチ位置又はタッチ深度に応じて、前記抽出された選択候補を順に選択状態とする手段、前記タッチパネルからのタッチアップ操作があった場合に、当該タッチアップ操作時に選択状態とされていた選択候補の選択を確定させる手段、として機能させるためのプログラムである。
【発明の効果】
【００１５】
本発明によれば、医用画像から選択対象物を選択する際の操作性を向上させることができる。
【図面の簡単な説明】
【００１６】
【図１】本発明の第１の実施の形態における医用画像表示システムのシステム構成図である。
【図２】アノテーションデータのデータ構成例を示す図である。
【図３】事前準備処理を示すフローチャートである。
【図４】第１のオブジェクト選択処理を示すフローチャートである。
【図５】（ａ）は、楕円のアノテーションが選択状態とされているビューアー画面の例である。（ｂ）は、楕円のアノテーションの選択が確定されたビューアー画面の例である。（ｃ）は、楕円のアノテーションを修正した後のビューアー画面の例である。
【図６】（ａ）は、距離の計測線が選択状態とされているビューアー画面の例である。（ｂ）は、距離の計測線の選択が確定されたビューアー画面の例である。（ｃ）は、距離の計測線を修正した後のビューアー画面の例である。
【図７】（ａ）は、虫眼鏡機能が選択状態とされているビューアー画面の例である。（ｂ）は、虫眼鏡機能を実行中のビューアー画面の例である。
【図８】第２の実施の形態のタッチパネルにおけるタッチ位置の移動方法を説明するための図である。
【図９】第２のオブジェクト選択処理を示すフローチャートである。
【図１０】第３の実施の形態における第３のオブジェクト選択処理を示すフローチャートである。
【発明を実施するための形態】
【００１７】
［第１の実施の形態］
まず、本発明の第１の実施の形態について説明する。なお、本発明は、図示例に限定されるものではない。
【００１８】
図１に、医用画像表示システム１００のシステム構成例を示す。
図１に示すように、医用画像表示システム１００は、画像管理サーバー１０と、医用画像表示装置２０と、から構成され、各装置は、ＬＡＮ（Local Area Network）やＷＡＮ（Wide Area Network）等の通信回線からなる通信ネットワークＮを介してデータ送受信可能に接続されている。医用画像表示システム１００を構成する各装置は、ＤＩＣＯＭ（Digital Image and Communications in Medicine）規格に準じており、各装置間の通信は、ＤＩＣＯＭに則って行われる。なお、医用画像表示装置２０の台数は、特に限定されない。
【００１９】
画像管理サーバー１０は、ＣＴ（Computed Tomography）装置、ＭＲＩ（Magnetic Resonance Imaging）装置、ＣＲ（Computed Radiography）装置等の各種モダリティー（撮影装置）により生成された医用画像の画像データを蓄積記憶・管理するコンピューター装置である。
画像管理サーバー１０は、制御部１１、通信部１２、ＲＡＭ１３、記憶部１４等を備えて構成され、各部はバス１５により接続されている。
【００２０】
制御部１１は、ＣＰＵ（Central Processing Unit）等により構成され、画像管理サーバー１０の各部の処理動作を統括的に制御する。具体的には、制御部１１は、記憶部１４に記憶されているシステムプログラムや各種処理プログラムを読み出し、ＲＡＭ１３内に形成されたワークエリアに展開し、当該プログラムとの協働により各種処理を行う。
【００２１】
通信部１２は、医用画像表示装置２０等の外部装置との間でデータの送受信を行うインターフェースであり、通信ネットワークＮに接続された各装置とデータの送受信を行う。
ＲＡＭ１３は、制御部１１により実行制御される各種処理において、記憶部１４から読み出された各種プログラム、入力若しくは出力データ、及びパラメーター等を一時的に格納するワークエリアを形成する。
【００２２】
記憶部１４は、ハードディスクや不揮発性の半導体メモリー等により構成される記憶装置である。記憶部１４は、制御部１１で実行されるシステムプログラムや各種処理プログラム、これらのプログラムの実行に必要なデータを記憶する。
【００２３】
また、記憶部１４には、医用画像の画像データ、医用画像に関する付帯情報を検索可能に格納する付帯情報ＤＢが記憶されている。
医用画像は、ＤＩＣＯＭ規格に則ったＤＩＣＯＭファイル形式で保存されている。ＤＩＣＯＭファイルは、画像部とヘッダー部とから構成される。画像部には医用画像の実データ、ヘッダー部には当該医用画像に関する付帯情報が書き込まれている。
【００２４】
付帯情報には、患者情報、検査情報、シリーズ情報、画像情報等が含まれている。
患者情報には、患者を識別するための患者識別情報（例えば、患者ＩＤ）、患者の氏名、性別、生年月日等の患者に関する各種情報が含まれる。
検査情報には、検査を識別するための検査識別情報（例えば、検査ＩＤ）、検査日時、担当医師等の検査に関する各種情報が含まれる。
シリーズ情報には、シリーズを識別するためのシリーズ識別情報（例えば、シリーズＩＤ）、シリーズに含まれる医用画像を生成したモダリティーの種類、撮影部位等のシリーズに関する各種情報が含まれる。
画像情報には、医用画像を識別するための画像識別情報（例えば、インスタンスＵＩＤ）、画像生成日時等の医用画像に関する各種情報が含まれる。
【００２５】
制御部１１は、医用画像表示装置２０からの検索要求に応じて、医用画像表示装置２０から送信される条件に合致した検査（医用画像）を記憶部１４の付帯情報ＤＢから検索して、条件に合致した検査のリストを医用画像表示装置２０に送信する。また、制御部１１は、医用画像表示装置２０から取得要求のあった医用画像を記憶部１４から読み出して、医用画像表示装置２０に送信する。
【００２６】
医用画像表示装置２０は、画像管理サーバー１０に蓄積記憶されている医用画像を取得して、医師の読影用に表示するためのタブレット型端末である。
医用画像表示装置２０は、制御部２１、操作部２２、表示部２３、通信部２４、ＲＡＭ２５、記憶部２６、計時部２７等を備えて構成され、各部はバス２８により接続されている。
【００２７】
制御部２１は、ＣＰＵ等により構成され、医用画像表示装置２０の各部の処理動作を統括的に制御する。具体的には、制御部２１は、記憶部２６に記憶されているシステムプログラムや各種処理プログラムを読み出し、ＲＡＭ２５内に形成されたワークエリアに展開し、当該プログラムとの協働により各種処理を行う。
【００２８】
操作部２２は、電源をオン／オフさせる電源キー等の操作キー２２Ａ、表示部２３の表示画面上に設けられたタッチパネル２２Ｂにより構成され、操作キー２２Ａに対応する操作信号、タッチパネル２２Ｂに対するユーザーの指等によるタッチ操作の位置に応じた操作信号を制御部２１に出力する。操作部２２は、ユーザーによる各種操作を受け付ける。
【００２９】
表示部２３は、ＬＣＤ（Liquid Crystal Display）等のモニターにより構成され、制御部２１から入力される表示信号の指示に従って、各種画面や医用画像等を表示する。
【００３０】
通信部２４は、画像管理サーバー１０等の外部装置との間でデータの送受信を行うインターフェースであり、通信ネットワークＮに接続された各装置とデータの送受信を行う。
ＲＡＭ２５は、制御部２１により実行制御される各種処理において、記憶部２６から読み出された各種プログラム、入力若しくは出力データ、及びパラメーター等を一時的に格納するワークエリアを形成する。
【００３１】
記憶部２６は、ハードディスクや不揮発性の半導体メモリー等により構成される記憶装置である。記憶部２６は、制御部２１で実行されるシステムプログラムや各種処理プログラム、これらのプログラムの実行に必要なデータを記憶する。
【００３２】
また、記憶部２６には、医用画像に対して、複数の選択対象物とその位置とが対応付けられたオブジェクト位置情報として、アノテーションデータ、計測線データ及び処理機能データが記憶される。
【００３３】
アノテーションデータには、アノテーションが重畳表示される医用画像の識別情報（インスタンスＵＩＤ）に対して、アノテーションの種類、アノテーションの位置が対応付けられている。アノテーションの種類としては、例えば、直線（線分）、矢印、円、矩形、多角形等が挙げられる。アノテーションの位置は、アノテーションが描画される医用画像上の位置である。アノテーションの位置としては、直線、矢印等の場合には、２端点の座標を用いることとしてもよいし、中心位置の座標を用いることとしてもよい。また、アノテーションの重心位置や、アノテーションを含む最小の矩形領域を示す情報等を用いることとしてもよい。
【００３４】
図２に、アノテーションデータ３０のデータ構成例を示す。アノテーションデータ３０には、医用画像を特定するためのインスタンスＵＩＤ３１、アノテーションの種類３２、アノテーションの位置３３，３４等が含まれている。アノテーションデータ３０において、アノテーションの種類３２として、「Ｌｉｎｅ（線）」が指定されており、アノテーションの位置３３には、線の始点に相当するｙ座標とｘ座標が記録され、アノテーションの位置３４には、線の終点に相当するｙ座標とｘ座標が記録されている。
同一の医用画像に対して複数のアノテーションが描画されている場合には、同一のインスタンスＵＩＤに対して、アノテーションの種類及びその位置を複数対応付けることができる。
【００３５】
計測線データには、計測線が重畳表示される医用画像の識別情報（インスタンスＵＩＤ）に対して、計測機能の種類、計測線の位置、計測値、計測値の位置が対応付けられている。計測機能の種類としては、例えば、２点間距離計測、角度計測、心胸比計測等が挙げられる。計測線の位置は、計測線が描画される医用画像上の位置である。計測線の位置としては、例えば、計測線の始点及び終点の座標を用いる。計測値は、選択された計測機能に応じて、計測線の位置に基づいて算出される距離、角度、比率等の値である。計測値の位置は、計測値が描画される医用画像上の位置である。
【００３６】
処理機能データには、現在表示されている医用画像の識別情報（インスタンスＵＩＤ）に対して、選択されている処理機能と、その位置が対応付けられている。処理機能として、例えば、虫眼鏡機能、パン機能、拡大縮小機能、階調機能等が挙げられる。これらの処理機能に対応付けられる位置は、医用画像全体の領域となる。
【００３７】
計時部２７は、第１のオブジェクト選択処理（図４参照）において、複数の選択対象物の中から抽出された各選択候補が選択状態とされてからの経過時間をカウントし、制御部２１に出力する。
【００３８】
制御部２１は、画像管理サーバー１０の記憶部１４に記憶されている医用画像を取得し、取得した医用画像を表示部２３に表示させる。
制御部２１は、表示部２３に表示された医用画像上にアノテーションや計測線を表示させる。
【００３９】
制御部２１は、医用画像が表示部２３に表示されている状態で、タッチパネル２２Ｂに対するロングタッチ操作（長押し：タッチパネル２２Ｂがタッチされていると認識している状態）があった場合に、オブジェクト位置情報（アノテーションデータ、計測線データ及び処理機能データ）を参照して、複数の選択対象物のうち、ロングタッチ操作の位置に対応する医用画像上の位置から所定の範囲内に含まれる選択対象物を選択候補として抽出する。ロングタッチ操作があったか否かは、例えば、タッチパネル２２Ｂに対するタッチ操作が所定の時間以上継続したか否かにより、判断する。ロングタッチ操作は、タッチパネル２２Ｂがタッチされていると認識されている間続き、タッチが解除されたとき（タッチアップ操作時）に、終了する。また、所定の範囲内として、例えば、ロングタッチ操作の位置に対応する医用画像上の位置を中心とした、所定の距離以内に含まれる領域を用いる。また、所定の範囲は、任意に変更可能とする。選択対象物が１点で構成されるものではなく、２次元的な拡がりを持つ場合には、選択対象物の少なくとも一部が所定の範囲内に含まれるときに、選択候補とすればよい。
【００４０】
選択対象物は、医用画像上に描画されたアノテーション、医用画像上に描画された計測線、又は、医用画像に所定の処理を施す処理機能である。
処理機能データにおいて、処理機能に対応付けられる位置は医用画像全体であるから、ロングタッチ操作の位置が医用画像上のどこに対応する位置であったとしても、処理機能が選択されていれば、選択候補の一つとして抽出される。
【００４１】
制御部２１は、タッチパネル２２Ｂに対するロングタッチ操作におけるタッチ時間に応じて、抽出された選択候補を順に選択状態とする。
制御部２１は、タッチパネル２２Ｂからのタッチアップ操作（指を画面から離す）があった場合に、当該タッチアップ操作時に選択状態とされていた選択候補の選択を確定させる。
【００４２】
制御部２１は、選択が確定された選択候補がアノテーション又は計測線である場合、このアノテーション又は計測線について、タッチパネル２２Ｂからの操作に基づいて、選択候補の位置又はサイズを修正する。
【００４３】
処理機能の選択の確定は、タッチパネル２２Ｂに対する所定の操作を、処理機能を実行させるためのイベントに割り当てることである。
例えば、虫眼鏡機能の選択が確定した場合、タッチパネル２２Ｂに対するタッチ操作が、タッチ位置に対応する医用画像上の位置を中心とした所定領域を所定の拡大率で拡大する画像処理を実行させるためのイベントに割り当てられる。
パン機能の選択が確定した場合、タッチパネル２２Ｂに対するドラッグ操作（スライド操作）が、医用画像内の表示対象範囲を変更させるためのイベントに割り当てられる。
拡大縮小機能が確定した場合、タッチパネル２２Ｂに対するドラッグ操作が、医用画像を拡大又は縮小させるためのイベントに割り当てられる。具体的には、上向きのドラッグ操作で画像が拡大され、下向きのドラッグ操作で画像が縮小される。
階調機能が確定した場合、タッチパネル２２Ｂに対するドラッグ操作が、医用画像に対する階調処理におけるＷＣ値（ウィンドウ中心）又はＷＷ値（ウィンドウ幅）を変更させるためのイベントに割り当てられる。具体的には、左右方向のドラッグ操作でＷＣ値が変更され、上下方向のドラッグ操作でＷＷ値が変更される。
【００４４】
次に、第１の実施の形態の動作について説明する。
図３は、医用画像表示装置２０により実行される事前準備処理を示すフローチャートである。この処理は、制御部２１と記憶部２６に記憶されているプログラムとの協働によるソフトウェア処理によって実現される。ここでは、楕円のアノテーション、距離の計測線、虫眼鏡機能を例にして説明する。
【００４５】
まず、制御部２１は、画像管理サーバー１０から検査リストを取得し、取得された検査リストを表示部２３に表示させる。ユーザーがタッチパネル２２Ｂからの操作により、検査リストの中から検査を選択すると（ステップＳ１）、制御部２１は、選択された検査で撮影された医用画像を画像管理サーバー１０から取得し、取得された医用画像を表示部２３に表示させる（ステップＳ２）。
【００４６】
次に、制御部２１は、ユーザーのタッチパネル２２Ｂからの操作により、楕円のアノテーションの描画操作を受け付けると（ステップＳ３）、表示部２３の医用画像上に楕円のアノテーションを描画する（ステップＳ４）。具体的には、ユーザーは、タッチパネル２２Ｂにおいて、楕円のアノテーションの描画機能に対応するアイコンを選択し、医用画像上で楕円を描画する位置を指定する。制御部２１は、表示されている医用画像のインスタンスＵＩＤ、アノテーションの種類（楕円）、アノテーションの位置等が対応付けられたアノテーションデータを記憶部２６に記憶させる。
【００４７】
次に、制御部２１は、ユーザーのタッチパネル２２Ｂからの操作により、距離を計測するための計測線の描画操作を受け付けると（ステップＳ５）、表示部２３の医用画像上に距離の計測線と計測値を描画する（ステップＳ６）。具体的には、ユーザーが、タッチパネル２２Ｂにおいて、距離計測機能に対応するアイコンを選択し、医用画像上で計測線の始点及び終点を指定すると、制御部２１は、２点間の距離（計測値）を算出する。制御部２１は、表示されている医用画像のインスタンスＵＩＤ、計測機能の種類（距離）、計測線の位置、計測値、計測値の位置等が対応付けられた計測線データを記憶部２６に記憶させる。
【００４８】
次に、制御部２１は、ユーザーのタッチパネル２２Ｂからの操作により、虫眼鏡機能の選択操作を受け付ける（ステップＳ７）。具体的には、ユーザーは、タッチパネル２２Ｂにおいて、虫眼鏡機能に対応するアイコンを選択する。制御部２１は、表示されている医用画像のインスタンスＵＩＤ、選択されているアイコンに対応する処理機能（虫眼鏡機能）、医用画像全体を示す位置等が対応付けられた処理機能データを記憶部２６に記憶させる。
以上で、事前準備処理が終了する。
【００４９】
図４は、医用画像表示装置２０により実行される第１のオブジェクト選択処理を示すフローチャートである。この処理は、事前準備処理に続いて行われる処理であり、制御部２１と記憶部２６に記憶されているプログラムとの協働によるソフトウェア処理によって実現される。
【００５０】
ユーザーによりタッチパネル２２Ｂに対するロングタッチ操作が行われると（ステップＳ１１）、制御部２１は、タッチ位置付近の選択対象物を抽出する（ステップＳ１２）。具体的には、制御部２１は、オブジェクト位置情報（アノテーションデータ、計測線データ及び処理機能データ）を参照して、医用画像に対して描画されているアノテーション及び計測線、医用画像に対して選択されている処理機能のうち、ロングタッチ操作の位置に対応する医用画像上の位置から所定の範囲内に、その位置が含まれる選択対象物（楕円のアノテーション、距離の計測線、虫眼鏡機能）を選択候補として抽出する。
【００５１】
なお、ここでは、三つの選択対象物のうち、全ての選択対象物が選択候補として抽出される場合を例とするが、各選択対象物の位置や所定の範囲の設定に応じて、抽出される選択候補は変わってくる。
また、抽出された選択候補には、所定の順序が割り当てられる。ここでは、楕円のアノテーション、距離の計測線、虫眼鏡機能の順とする。
【００５２】
次に、制御部２１は、表示部２３に表示されている楕円のアノテーションを選択状態とする（ステップＳ１３）。
図５（ａ）に、表示部２３に表示されるビューアー画面２３１Ａの例を示す。ビューアー画面２３１Ａには、表示対象の医用画像が表示され、医用画像上に楕円のアノテーション４０、距離の計測線５０が重畳表示されている。ここでは、楕円のアノテーション４０が太線で描画されることで、選択状態であることが示されている。なお、アノテーションの色や線種等の表示態様を、他の選択候補と異ならせることで、選択状態であることを示すこととしてもよい。
【００５３】
次に、制御部２１は、計時部２７に楕円のアノテーションが選択状態とされてからの経過時間を測定させる。制御部２１は、計時部２７により測定される時間が所定時間を経過したか否かを判断する（ステップＳ１４）。
楕円のアノテーションが選択状態とされてから所定時間が経過していない場合には（ステップＳ１４；ＮＯ）、制御部２１は、ユーザーによりタッチパネル２２Ｂからのタッチアップ操作が行われたか否かを判断する（ステップＳ１５）。
タッチアップ操作が行われていない場合には（ステップＳ１５；ＮＯ）、ステップＳ１４に戻り、処理が繰り返される。
【００５４】
ステップＳ１５において、タッチアップ操作が行われた場合には（ステップＳ１５；ＹＥＳ）、制御部２１は、タッチアップ操作時に選択状態とされていた楕円のアノテーションの選択を確定させ、楕円のアノテーションを修正可能状態とする（ステップＳ１６）。
例えば、図５（ｂ）に示すように、ビューアー画面２３１Ｂにおいて、医用画像上の楕円のアノテーション４０を囲む矩形領域の四隅と、楕円の長軸両端点及び短軸両端点に、修正可能状態であることを示す編集マークＭ１〜Ｍ８が表示される。
【００５５】
次に、制御部２１は、ユーザーのタッチパネル２２Ｂからの操作に従って、楕円のアノテーションの位置・サイズを修正する（ステップＳ１７）。例えば、楕円全体の位置を移動させたり、楕円の長軸方向・短軸方向のサイズを変更したり、楕円を回転させたりする。制御部２１は、楕円のアノテーションの位置・サイズの修正に伴い、記憶部２６に記憶されているアノテーションデータを更新する。
図５（ｃ）に、楕円のアノテーションを修正した後のビューアー画面２３１Ｃの例を示す。ビューアー画面２３１Ｃでは、図５（ｂ）と比較して、楕円のアノテーション４０の短軸方向のサイズ（Ｍ７とＭ８との距離）が小さくなっている。
【００５６】
ステップＳ１４において、楕円のアノテーションが選択状態とされてから所定時間が経過した場合には（ステップＳ１４；ＹＥＳ）、制御部２１は、表示部２３に表示されている距離の計測線を選択状態とする（ステップＳ１８）。
図６（ａ）に示すように、表示部２３に表示されるビューアー画面２３２Ａでは、医用画像上に重畳表示されている楕円のアノテーション４０、距離の計測線５０のうち、距離の計測線５０が選択状態となっている。ここでは、距離の計測線５０が太線で描画されることで、選択状態であることが示されている。なお、計測線の色や線種等の表示態様を、他の選択候補と異ならせることで、選択状態であることを示すこととしてもよい。
【００５７】
次に、制御部２１は、計時部２７に距離の計測線が選択状態とされてからの経過時間を測定させる。制御部２１は、計時部２７により測定される時間が所定時間を経過したか否かを判断する（ステップＳ１９）。
距離の計測線が選択状態とされてから所定時間が経過していない場合には（ステップＳ１９；ＮＯ）、制御部２１は、ユーザーによりタッチパネル２２Ｂからのタッチアップ操作が行われたか否かを判断する（ステップＳ２０）。
タッチアップ操作が行われていない場合には（ステップＳ２０；ＮＯ）、ステップＳ１９に戻り、処理が繰り返される。
【００５８】
ステップＳ２０において、タッチアップ操作が行われた場合には（ステップＳ２０；ＹＥＳ）、制御部２１は、タッチアップ操作時に選択状態とされていた距離の計測線の選択を確定させ、距離の計測線を修正可能状態とする（ステップＳ２１）。
例えば、図６（ｂ）に示すように、ビューアー画面２３２Ｂにおいて、医用画像上の距離の計測線５０の両端点及び中心位置に、修正可能状態であることを示す編集マークＭ１１〜Ｍ１３が表示される。
【００５９】
次に、制御部２１は、ユーザーのタッチパネル２２Ｂからの操作に従って、距離の計測線の位置・サイズを修正する（ステップＳ２２）。例えば、計測線全体の位置を移動させたり、計測線の始点・終点の位置を変更したりする。制御部２１は、距離の計測線の位置・サイズの修正に伴い、記憶部２６に記憶されている計測線データを更新する。
図６（ｃ）に、距離の計測線を修正した後のビューアー画面２３２Ｃの例を示す。ビューアー画面２３２Ｃでは、図６（ｂ）と比較して、距離の計測線５０が右側に長くなっている。距離の計測線５０の修正に伴い、計測値も「１９．４４ｍｍ」から「２０．１９ｍｍ」に変更されている。
【００６０】
ステップＳ１９において、距離の計測線が選択状態とされてから所定時間が経過した場合には（ステップＳ１９；ＹＥＳ）、制御部２１は、虫眼鏡機能を選択状態とし、表示部２３に虫眼鏡アイコンを表示させる（ステップＳ２３）。
図７（ａ）に示すように、表示部２３に表示されるビューアー画面２３３Ａにおいて、虫眼鏡アイコン６０が表示される。ここでは、虫眼鏡アイコン６０が表示されることで、虫眼鏡機能が選択状態であることが示されている。
【００６１】
次に、制御部２１は、計時部２７に虫眼鏡アイコンが表示されてからの経過時間を測定させる。制御部２１は、計時部２７により測定される時間が所定時間を経過したか否かを判断する（ステップＳ２４）。
虫眼鏡アイコンが表示されてから所定時間が経過した場合には（ステップＳ２４；ＹＥＳ）、ステップＳ１３に戻る（図５（ａ）参照）。
【００６２】
ステップＳ２４において、虫眼鏡アイコンが表示されてから所定時間が経過していない場合には（ステップＳ２４；ＮＯ）、制御部２１は、ユーザーによりタッチパネル２２Ｂからのタッチアップ操作が行われたか否かを判断する（ステップＳ２５）。
タッチアップ操作が行われていない場合には（ステップＳ２５；ＮＯ）、ステップＳ２４に戻り、処理が繰り返される。
【００６３】
ステップＳ２５において、タッチアップ操作が行われた場合には（ステップＳ２５；ＹＥＳ）、制御部２１は、タッチアップ操作時に選択状態とされていた虫眼鏡機能の選択を確定させ、虫眼鏡機能を実行可能状態とする。具体的には、制御部２１は、タッチパネル２２Ｂに対する所定の操作（タッチ操作）を、虫眼鏡機能を実行させるためのイベントに割り当てる。
ユーザーによりタッチパネル２２Ｂからタッチ操作が行われると（ステップＳ２６）、制御部２１は、医用画像のタッチ箇所を拡大表示する（ステップＳ２７）。
図７（ｂ）に示すビューアー画面２３３Ｂでは、タッチ位置を中心とした医用画像の所定の領域が、予め定められた拡大率で拡大され、この拡大された画像６１が医用画像上に重畳表示されている。虫眼鏡機能を実行中に、ユーザーがタッチパネル２２Ｂに指を置いたままタッチ位置を移動させると、拡大表示される領域の中心位置が移動する。
【００６４】
ステップＳ１７、ステップＳ２２、ステップＳ２７の後、第１のオブジェクト選択処理が終了する。
【００６５】
以上説明したように、第１の実施の形態によれば、ロングタッチ操作を契機として、ロングタッチ操作の位置に対応する医用画像上の位置から所定の範囲内に含まれる選択対象物を選択候補として抽出し、タッチパネル２２Ｂに対するタッチ時間に応じて、抽出された選択候補を順に選択状態とし、タッチアップ操作時に選択状態とされていた選択候補の選択を確定させるので、医用画像から選択対象物を選択する際の操作性を向上させることができる。タッチパネル２２Ｂ上では、細かい位置指定が難しいが、各選択候補の表示態様をタッチ時間に応じて順に変えることで、いずれの選択候補が選択状態となっているかを明示することができる。
【００６６】
また、アノテーション又は計測線の選択が確定された場合には、アノテーション又は計測線の位置又はサイズを修正することができる。
【００６７】
また、各処理機能の選択が確定された場合には、タッチパネル２２Ｂに対する所定の操作で、所定の処理機能を実行させることができる。
【００６８】
［第２の実施の形態］
第２の実施の形態における医用画像表示システムは、第１の実施の形態に示した医用画像表示システム１００と同様の構成であるため、図１を援用し、第１の実施の形態と同様の構成については、説明を省略する。以下、第２の実施の形態に特徴的な構成及び処理について説明する。
【００６９】
医用画像表示装置２０の制御部２１は、医用画像が表示部２３に表示されている状態で、タッチパネル２２Ｂに対するロングタッチ操作があった場合に、オブジェクト位置情報（アノテーションデータ、計測線データ及び処理機能データ）を参照して、複数の選択対象物のうち、ロングタッチ操作の位置に対応する医用画像上の位置から所定の範囲内に含まれる選択対象物を選択候補として抽出する。
制御部２１は、タッチパネル２２Ｂに対するロングタッチ操作におけるタッチ位置に応じて、抽出された選択候補を順に選択状態とする。具体的には、制御部２１は、ロングタッチ操作を開始した位置から移動した距離に応じて、選択状態とする選択候補を切り替えていく。移動方向については、上下方向、左右方向等、特に限定されない。
制御部２１は、タッチパネル２２Ｂからのタッチアップ操作があった場合に、当該タッチアップ操作時に選択状態とされていた選択候補の選択を確定させる。
【００７０】
図８（ａ）〜（ｅ）を参照して、タッチパネル２２Ｂにおけるタッチ位置の移動方法について説明する。ここでは、ユーザーがタッチパネル２２Ｂ上で、指を上下方向に移動することとする。
図８（ａ）に、ユーザーがロングタッチ操作を開始した位置Ｐ１を示す。
図８（ｂ）に、図８（ａ）に示す位置Ｐ１から上側へ一定量移動させた位置Ｐ２を示す。なお、指の移動を認識する際の閾値となる一定量（移動距離）は、任意に設定可能である。
図８（ｃ）に、図８（ｂ）に示す位置Ｐ２からさらに上側へ一定量移動させた位置Ｐ３を示す。
図８（ｄ）に、図８（ｃ）に示す位置Ｐ３から下側へ一定量移動させた位置Ｐ４を示す（図８（ｂ）の位置Ｐ２と同じ位置）。
図８（ｅ）に、図８（ｄ）に示す位置Ｐ４からさらに下側へ一定量移動させた位置Ｐ５を示す（図８（ａ）の位置Ｐ１と同じ位置）。
【００７１】
第２の実施の形態では、位置Ｐ１（Ｐ５）を１番目の選択候補に対応付け、位置Ｐ２（Ｐ４）を２番目の選択候補に対応付け、位置Ｐ３を３番目の選択候補に対応付けて、タッチパネル２２Ｂから指を離さずにタッチパネル２２Ｂ上の指を移動させることで、選択状態とする選択候補を切り替える。
【００７２】
次に、第２の実施の形態の動作について説明する。
第２の実施の形態においても、事前準備処理（図３参照）については、第１の実施の形態と同様である。
【００７３】
図９は、医用画像表示装置２０により実行される第２のオブジェクト選択処理を示すフローチャートである。この処理は、事前準備処理に続いて行われる処理であり、制御部２１と記憶部２６に記憶されているプログラムとの協働によるソフトウェア処理によって実現される。
【００７４】
ステップＳ３１〜ステップＳ３３の処理については、図４のステップＳ１１〜ステップＳ１３の処理と同様である。
楕円のアノテーションが選択状態となっているビューアー画面の例は、図５（ａ）と同様である。
【００７５】
次に、制御部２１は、タッチパネル２２Ｂにおけるタッチ位置に基づいて、楕円のアノテーションが選択状態とされてからタッチ位置が一定量移動したか否かを判断する（ステップＳ３４）。例えば、制御部２１は、図８（ａ）に示す位置Ｐ１から図８（ｂ）に示す位置Ｐ２に移動したか否かを判断する。
楕円のアノテーションが選択状態とされてからタッチ位置が一定量移動していない場合には（ステップＳ３４；ＮＯ）、制御部２１は、ユーザーによりタッチパネル２２Ｂからのタッチアップ操作が行われたか否かを判断する（ステップＳ３５）。
タッチアップ操作が行われていない場合には（ステップＳ３５；ＮＯ）、ステップＳ３４に戻り、処理が繰り返される。
【００７６】
ステップＳ３５において、タッチアップ操作が行われた場合には（ステップＳ３５；ＹＥＳ）、制御部２１は、タッチアップ操作時に選択状態とされていた楕円のアノテーションの選択を確定させ、楕円のアノテーションを修正可能状態とする（ステップＳ３６）（図５（ｂ）参照）。
【００７７】
次に、制御部２１は、ユーザーのタッチパネル２２Ｂからの操作に従って、楕円のアノテーションの位置・サイズを修正する（ステップＳ３７）（図５（ｃ）参照）。
【００７８】
ステップＳ３４において、楕円のアノテーションが選択状態とされてからタッチ位置が一定量移動した場合には（ステップＳ３４；ＹＥＳ）、制御部２１は、表示部２３に表示されている距離の計測線を選択状態とする（ステップＳ３８）（図６（ａ）参照）。
【００７９】
次に、制御部２１は、タッチパネル２２Ｂにおけるタッチ位置に基づいて、距離の計測線が選択状態とされてからタッチ位置が（ステップＳ３４でＹＥＳの場合と同じ向きに）一定量移動したか否かを判断する（ステップＳ３９）。例えば、制御部２１は、図８（ｂ）に示す位置Ｐ２から図８（ｃ）に示す位置Ｐ３に移動したか否かを判断する。
距離の計測線が選択状態とされてからタッチ位置が一定量移動していない場合には（ステップＳ３９；ＮＯ）、制御部２１は、タッチパネル２２Ｂにおけるタッチ位置に基づいて、距離の計測線が選択状態とされてからタッチ位置が（ステップＳ３４でＹＥＳの場合と）逆向きに一定量移動したか否かを判断する（ステップＳ４０）。例えば、制御部２１は、図８（ｂ）に示す位置Ｐ２から図８（ａ）に示す位置Ｐ１に移動したか否かを判断する。
距離の計測線が選択状態とされてからタッチ位置が逆向きに一定量移動した場合には（ステップＳ４０；ＹＥＳ）、ステップＳ３３に戻る（図５（ａ）参照）。
【００８０】
ステップＳ４０において、距離の計測線が選択状態とされてからタッチ位置が逆向きに一定量移動していない場合には（ステップＳ４０；ＮＯ）、制御部２１は、ユーザーによりタッチパネル２２Ｂからのタッチアップ操作が行われたか否かを判断する（ステップＳ４１）。
タッチアップ操作が行われていない場合には（ステップＳ４１；ＮＯ）、ステップＳ３９に戻り、処理が繰り返される。
【００８１】
ステップＳ４１において、タッチアップ操作が行われた場合には（ステップＳ４１；ＹＥＳ）、制御部２１は、タッチアップ操作時に選択状態とされていた距離の計測線の選択を確定させ、距離の計測線を修正可能状態とする（ステップＳ４２）（図６（ｂ）参照）。
【００８２】
次に、制御部２１は、ユーザーのタッチパネル２２Ｂからの操作に従って、距離の計測線の位置・サイズを修正する（ステップＳ４３）（図６（ｃ）参照）。
【００８３】
ステップＳ３９において、距離の計測線が選択状態とされてからタッチ位置が一定量移動した場合には（ステップＳ３９；ＹＥＳ）、制御部２１は、虫眼鏡機能を選択状態とし、表示部２３に虫眼鏡アイコンを表示させる（ステップＳ４４）（図７（ａ）参照）。
【００８４】
次に、制御部２１は、タッチパネル２２Ｂにおけるタッチ位置に基づいて、虫眼鏡アイコンが表示されてからタッチ位置が（ステップＳ３４でＹＥＳの場合と）逆向きに一定量移動したか否かを判断する（ステップＳ４５）。例えば、制御部２１は、図８（ｃ）に示す位置Ｐ３から図８（ｄ）に示す位置Ｐ４に移動したか否かを判断する。なお、選択候補の数（ここでは、３）の最大数まで選択状態とした後は、それ以上ロングタッチ操作の開始位置からの距離を大きくしても選択候補の変更は行われない。
虫眼鏡アイコンが表示されてからタッチ位置が逆向きに一定量移動した場合には（ステップＳ４５；ＹＥＳ）、ステップＳ３８に戻る（図６（ａ）参照）。
【００８５】
ステップＳ４５において、虫眼鏡アイコンが表示されてからタッチ位置が逆向きに一定量移動していない場合には（ステップＳ４５；ＮＯ）、制御部２１は、ユーザーによりタッチパネル２２Ｂからのタッチアップ操作が行われたか否かを判断する（ステップＳ４６）。
タッチアップ操作が行われていない場合には（ステップＳ４６；ＮＯ）、ステップＳ４５に戻り、処理が繰り返される。
【００８６】
ステップＳ４６において、タッチアップ操作が行われた場合には（ステップＳ４６；ＹＥＳ）、制御部２１は、タッチアップ操作時に選択状態とされていた虫眼鏡機能の選択を確定させ、虫眼鏡機能を実行可能状態とする。
ユーザーによりタッチパネル２２Ｂからタッチ操作が行われると（ステップＳ４７）、制御部２１は、医用画像のタッチ箇所を拡大表示する（ステップＳ４８）（図７（ｂ）参照）。
【００８７】
ステップＳ３７、ステップＳ４３、ステップＳ４８の後、第２のオブジェクト選択処理が終了する。
【００８８】
以上説明したように、第２の実施の形態によれば、ロングタッチ操作を契機として、ロングタッチ操作の位置に対応する医用画像上の位置から所定の範囲内に含まれる選択対象物を選択候補として抽出し、タッチパネル２２Ｂに対するタッチ位置に応じて、抽出された選択候補を順に選択状態とし、タッチアップ操作時に選択状態とされていた選択候補の選択を確定させるので、医用画像から選択対象物を選択する際の操作性を向上させることができる。タッチパネル２２Ｂ上では、細かい位置指定が難しいが、各選択候補の表示態様をタッチ位置に応じて順に変えることで、いずれの選択候補が選択状態となっているかを明示することができる。
【００８９】
［第３の実施の形態］
第３の実施の形態における医用画像表示システムは、第１の実施の形態に示した医用画像表示システム１００と同様の構成であるため、図１を援用し、第１の実施の形態と同様の構成については、説明を省略する。以下、第３の実施の形態に特徴的な構成及び処理について説明する。
【００９０】
医用画像表示装置２０のタッチパネル２２Ｂは、平面上のタッチ位置だけでなく、ユーザーの指等を押し込むタッチ深度の差を検出可能となっている。タッチパネル２２Ｂは、タッチ深度を３段階（小・中・大）で検出し、検出結果を制御部２１に出力する。
【００９１】
制御部２１は、医用画像が表示部２３に表示されている状態で、タッチパネル２２Ｂに対するロングタッチ操作があった場合に、オブジェクト位置情報（アノテーションデータ、計測線データ及び処理機能データ）を参照して、複数の選択対象物のうち、ロングタッチ操作の位置に対応する医用画像上の位置から所定の範囲内に含まれる選択対象物を選択候補として抽出する。
制御部２１は、タッチパネル２２Ｂに対するロングタッチ操作におけるタッチ深度に応じて、抽出された選択候補を順に選択状態とする。
制御部２１は、タッチパネル２２Ｂからのタッチアップ操作があった場合に、当該タッチアップ操作時に選択状態とされていた選択候補の選択を確定させる。
【００９２】
第３の実施の形態では、タッチ深度「小」を１番目の選択候補に対応付け、タッチ深度「中」を２番目の選択候補に対応付け、タッチ深度「大」を３番目の選択候補に対応付けて、タッチパネル２２Ｂに対するタッチ深度を変えることで、選択状態とする選択候補を切り替える。
【００９３】
次に、第３の実施の形態の動作について説明する。
第３の実施の形態においても、事前準備処理（図３参照）については、第１の実施の形態と同様である。
【００９４】
図１０は、医用画像表示装置２０により実行される第３のオブジェクト選択処理を示すフローチャートである。この処理は、事前準備処理に続いて行われる処理であり、制御部２１と記憶部２６に記憶されているプログラムとの協働によるソフトウェア処理によって実現される。
【００９５】
ステップＳ５１〜ステップＳ５２の処理については、図４のステップＳ１１〜ステップＳ１２の処理と同様である。
【００９６】
次に、制御部２１は、タッチパネル２２Ｂにおけるタッチ深度が「小」であるか否かを判断する（ステップＳ５３）。
タッチ深度が「小」である場合には（ステップＳ５３；ＹＥＳ）、制御部２１は、表示部２３に表示されている楕円のアノテーションを選択状態とする（ステップＳ５４）（図５（ａ）参照）。
【００９７】
次に、制御部２１は、ユーザーによりタッチパネル２２Ｂからのタッチアップ操作が行われたか否かを判断する（ステップＳ５５）。
タッチアップ操作が行われていない場合には（ステップＳ５５；ＮＯ）、ステップＳ５３に戻り、処理が繰り返される。
【００９８】
ステップＳ５５において、タッチアップ操作が行われた場合には（ステップＳ５５；ＹＥＳ）、制御部２１は、タッチアップ操作時に選択状態とされていた楕円のアノテーションの選択を確定させ、楕円のアノテーションを修正可能状態とする（ステップＳ５６）（図５（ｂ）参照）。
【００９９】
次に、制御部２１は、ユーザーのタッチパネル２２Ｂからの操作に従って、楕円のアノテーションの位置・サイズを修正する（ステップＳ５７）（図５（ｃ）参照）。
【０１００】
ステップＳ５３において、タッチ深度が「小」でない場合には（ステップＳ５３；ＮＯ）、制御部２１は、タッチパネル２２Ｂにおけるタッチ深度が「中」であるか否かを判断する（ステップＳ５８）。
タッチ深度が「中」である場合には（ステップＳ５８；ＹＥＳ）、制御部２１は、表示部２３に表示されている距離の計測線を選択状態とする（ステップＳ５９）（図６（ａ）参照）。
【０１０１】
次に、制御部２１は、ユーザーによりタッチパネル２２Ｂからのタッチアップ操作が行われたか否かを判断する（ステップＳ６０）。
タッチアップ操作が行われていない場合には（ステップＳ６０；ＮＯ）、ステップＳ５８に戻り、処理が繰り返される。
【０１０２】
ステップＳ６０において、タッチアップ操作が行われた場合には（ステップＳ６０；ＹＥＳ）、制御部２１は、タッチアップ操作時に選択状態とされていた距離の計測線の選択を確定させ、距離の計測線を修正可能状態とする（ステップＳ６１）（図６（ｂ）参照）。
【０１０３】
次に、制御部２１は、ユーザーのタッチパネル２２Ｂからの操作に従って、距離の計測線の位置・サイズを修正する（ステップＳ６２）（図６（ｃ）参照）。
【０１０４】
ステップＳ５８において、タッチ深度が「中」でない場合には（ステップＳ５８；ＮＯ）、制御部２１は、タッチパネル２２Ｂにおけるタッチ深度が「大」であるか否かを判断する（ステップＳ６３）。
タッチ深度が「大」でない場合には（ステップＳ６３；ＮＯ）、ステップＳ５３に戻る。
【０１０５】
ステップＳ６３において、タッチ深度が「大」である場合には（ステップＳ６３；ＹＥＳ）、制御部２１は、虫眼鏡機能を選択状態とし、表示部２３に虫眼鏡アイコンを表示させる（ステップＳ６４）（図７（ａ）参照）。
【０１０６】
次に、制御部２１は、ユーザーによりタッチパネル２２Ｂからのタッチアップ操作が行われたか否かを判断する（ステップＳ６５）。
タッチアップ操作が行われていない場合には（ステップＳ６５；ＮＯ）、ステップＳ６３に戻り、処理が繰り返される。
【０１０７】
ステップＳ６５において、タッチアップ操作が行われた場合には（ステップＳ６５；ＹＥＳ）、制御部２１は、タッチアップ操作時に選択状態とされていた虫眼鏡機能の選択を確定させ、虫眼鏡機能を実行可能状態とする。
ユーザーによりタッチパネル２２Ｂからタッチ操作が行われると（ステップＳ６６）、制御部２１は、医用画像のタッチ箇所を拡大表示する（ステップＳ６７）（図７（ｂ）参照）。
【０１０８】
ステップＳ５７、ステップＳ６２、ステップＳ６７の後、第３のオブジェクト選択処理が終了する。
【０１０９】
以上説明したように、第３の実施の形態によれば、ロングタッチ操作を契機として、ロングタッチ操作の位置に対応する医用画像上の位置から所定の範囲内に含まれる選択対象物を選択候補として抽出し、タッチパネル２２Ｂに対するタッチ深度に応じて、抽出された選択候補を順に選択状態とし、タッチアップ操作時に選択状態とされていた選択候補の選択を確定させるので、医用画像から選択対象物を選択する際の操作性を向上させることができる。タッチパネル２２Ｂ上では、細かい位置指定が難しいが、各選択候補の表示態様をタッチ深度に応じて順に変えることで、いずれの選択候補が選択状態となっているかを明示することができる。
【０１１０】
なお、上記各実施の形態における記述は、本発明に係る医用画像表示装置の例であり、これに限定されるものではない。装置を構成する各部の細部構成及び細部動作に関しても本発明の趣旨を逸脱することのない範囲で適宜変更可能である。
【０１１１】
例えば、医用画像上に描画されるアノテーションや計測線、選択される処理機能については、上記の例に限定されない。また、同一の医用画像に対して対応付けられる選択対象物の数、その中から抽出される選択候補の数も限定されない。
【０１１２】
また、上記各実施の形態では、選択対象物となる所定の処理機能として、画像処理機能を中心に説明したが、アノテーション描画機能、計測機能にも適用可能である。具体的には、アノテーションや計測線が既に描画されている状態で、さらにアノテーションを描画する場合、アノテーション描画機能に対応するアイコンを選択するが、ロングタッチ操作の位置に対応する医用画像上の位置から所定の範囲内に存在するアノテーション及び計測線と、アノテーション描画機能を選択候補とすることができる。アノテーション描画機能（線、矢印、矩形、多角形、楕円等）の選択が確定した場合、タッチパネル２２Ｂに対する所定の操作（位置の指定等）が、アノテーション描画機能を実行させるためのイベントに割り当てられる。また、計測機能の選択が確定した場合、タッチパネル２２Ｂに対する所定の操作（計測線を描画する位置の指定等）が、計測機能（計測線の描画、計測値の算出、計測値の描画）を実行させるためのイベントに割り当てられる。
【０１１３】
以上の説明では、各処理を実行するためのプログラムを格納したコンピューター読み取り可能な媒体としてハードディスクや不揮発性の半導体メモリーを使用した例を公開したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１４】
１０  画像管理サーバー
１１  制御部
１２  通信部
１４  記憶部
２０  医用画像表示装置
２１  制御部
２２Ｂ  タッチパネル
２３  表示部
２４  通信部
２６  記憶部
２７  計時部
１００  医用画像表示システム
Ｎ  通信ネットワーク
【図１】
2019170422.tif 000003
【図２】
2019170422.tif 000004
【図３】
2019170422.tif 000005
【図４】
2019170422.tif 000006
【図５】
2019170422.tif 000007
【図６】
2019170422.tif 000008
【図７】
2019170422.tif 000009
【図８】
2019170422.tif 000010
【図９】
2019170422.tif 000011
【図１０】
2019170422.tif 000012